(57)【要約】【課題】複数の被写体に適切にピントを合わせることが可能であるとともに、複数の被写体が移動した場合でもピントが合った動画撮影を行うことが可能な撮像装置を提供する。【解決手段】撮像装置（１００）は、レンズ（１０１）および撮像センサ（１０２）を有する光学ユニット（１００１）と、撮像センサからの画像データに基づいて、特定被写体を検出する検出手段（１０３）と、特定被写体にピントを合わせて、物体あおり軸を設定する設定手段（１０４）と、撮像センサを撮像センサのチルト回転軸の回りにチルト回転させるチルト手段（１０５）とを有する。【選択図】図１
2020129788.tif 000002
【特許請求の範囲】
【請求項１】
レンズおよび撮像センサを有する光学ユニットと、
前記撮像センサからの画像データに基づいて、特定被写体を検出する検出手段と、
前記特定被写体にピントを合わせて、物体あおり軸を設定する設定手段と、
前記撮像センサを該撮像センサのチルト回転軸の回りにチルト回転させるチルト手段と、を有することを特徴とする撮像装置。
【請求項２】
前記設定手段は、前記検出手段により前記特定被写体が検出された場合、前記被写体にピントを合わせて前記物体あおり軸を設定することを特徴とする請求項１に記載の撮像装置。
【請求項３】
前記設定手段は、前記検出手段により前記特定被写体が検出されない場合、前記特定被写体が検出されるまで、前記物体あおり軸の設定を行わないことを特徴とする請求項１または２に記載の撮像装置。
【請求項４】
前記設定手段は、前記検出手段により前記特定被写体が検出されない場合、前記光学ユニットの光軸方向を変更することを特徴とする請求項１または２に記載の撮像装置。
【請求項５】
前記光学ユニットの向きを変更する変更手段を更に有し、
前記設定手段は、前記変更手段を制御して前記光学ユニットの前記光軸方向を変更することを特徴とする請求項４に記載の撮像装置。
【請求項６】
前記設定手段は、前記光学ユニットの前記光軸方向を変更することにより、前記物体あおり軸の位置を変更することを特徴とする請求項４または５に記載の撮像装置。
【請求項７】
前記設定手段は、前記撮像センサの前記チルト回転軸とは異なる撮像領域に存在する前記特定被写体に基づいて、前記光学ユニットの前記光軸方向を変更することを特徴とする請求項４乃至６のいずれか１項に記載の撮像装置。
【請求項８】
前記設定手段は、前記撮像領域に存在する前記特定被写体が前記チルト回転軸に対応する前記位置に移動するように、前記光学ユニットの前記光軸方向を変更することを特徴とする請求項７に記載の撮像装置。
【請求項９】
前記検出手段は、前記撮像センサからの画像データに基づいて、前記撮像センサのチルト回転軸に対応する位置に存在する特定被写体を検出し、
前記設定手段は、前記特定被写体にピントを合わせて、前記チルト回転軸と結像関係にある前記物体あおり軸を設定することを特徴とする請求項１乃至８のいずれか１項に記載の撮像装置。
【請求項１０】
前記設定手段は、ピント面の回転量に応じて物体あおり軸を設定し、
前記チルト手段は、前記ピント面の回転量に応じて前記撮像センサを前記チルト回転軸の回りにチルト回転させることを特徴とする請求項１乃至８のいずれか１項に記載の撮像装置。
【請求項１１】
前記チルト手段は、前記特定被写体を含む複数の被写体にピントが合うように、前記撮像センサをチルト回転させることを特徴とする請求項１乃至１０のいずれか１項に記載の撮像装置。
【請求項１２】
前記チルト手段は、前記特定被写体の高さの基準となる第１の平面に平行な第２の平面にピントが合うように、前記撮像センサをチルト回転させることを特徴とする請求項１乃至１１のいずれか１項に記載の撮像装置。
【請求項１３】
前記第１の平面は、地面、道路、床、および、廊下の少なくとも一つを含むことを特徴とする請求項１２に記載の撮像装置。
【請求項１４】
前記設定手段は、
前記光学ユニットの光軸方向を第１の方向から第２の方向に変更して前記物体あおり軸を設定し、
前記物体あおり軸の前記第１の平面からの高さを維持したまま前記光学ユニットの前記光軸方向を前記第２の方向から前記第１の方向に戻すことを特徴とする請求項１２または１３に記載の撮像装置。
【請求項１５】
前記特定被写体は、人物の顔領域であることを特徴とする請求項１乃至１４のいずれか１項に記載の撮像装置。
【請求項１６】
撮像センサからの画像データに基づいて、特定被写体を検出するステップと、
前記特定被写体にピントを合わせて、物体あおり軸を設定するステップと、
前記撮像センサを該撮像センサのチルト回転軸の回りにチルト回転させるステップと、を有することを特徴とする撮像装置の制御方法。
【請求項１７】
請求項１６に記載の撮像装置の制御方法をコンピュータに実行させることを特徴とするプログラム。
【発明の詳細な説明】
【技術分野】
【０００１】
本発明は、撮像センサを傾ける機構を有する撮像装置に関する。
【背景技術】
【０００２】
従来、撮像センサをレンズの光軸に対して傾けて撮影（あおり撮影）を行う撮像装置が知られている。特許文献１には、指定された複数の領域にピントが合うように撮像素子の傾きを調整してあおり撮影を行う撮像装置が開示されている。特許文献２には、複数の人の顔を含む面（鉛直面）の傾斜角に応じて、受光面（撮像センサ）または撮像レンズの傾斜角度を調整することで、複数の人の顔にピントを合わせることが可能な撮像装置が開示されている。
【先行技術文献】
【特許文献】
【０００３】
【特許文献１】特開２０１６−０４２１９４号公報
【特許文献２】特開２０１７−０９３９０４号公報
【発明の概要】
【発明が解決しようとする課題】
【０００４】
しかしながら、特許文献２に開示された撮像装置は、受光面または撮像レンズの傾斜角度を調整して、３人の顔を含む傾斜鉛直平面にピント面を合わせる。一般的に、３人の顔が同一鉛直平面にある場合は特別な場合であり、３人の顔が同一鉛直平面にない場合には複雑な処理を行う必要がある。また、４人以上の顔を含む平面を考える場合、全ての人の顔を含む面が存在しない場合もあり得る。また、人が移動することで顔の傾斜角が変わった場合、誤差を低減するには、顔の傾斜角、および、受光面または撮像レンズの傾斜角度を再計算する必要がある。しかし、移動する顔に追従して傾斜角度やレンズの位置をリアルタイムに変更することは難しいため、動画撮影には適していない。
【０００５】
そこで本発明は、複数の被写体に適切にピントを合わせることが可能であるとともに、複数の被写体が移動した場合でもピントが合った動画撮影を行うことが可能な撮像装置、撮像装置の制御方法、および、プログラムを提供することを目的とする。
【課題を解決するための手段】
【０００６】
本発明の一側面としての撮像装置は、レンズおよび撮像センサを有する光学ユニットと、前記撮像センサからの画像データに基づいて、特定被写体を検出する検出手段と、前記特定被写体にピントを合わせて、物体あおり軸を設定する設定手段と、前記撮像センサを該撮像センサのチルト回転軸の回りにチルト回転させるチルト手段とを有する。
【０００７】
本発明の他の側面としての撮像装置の制御方法は、撮像センサからの画像データに基づいて、特定被写体を検出するステップと、前記特定被写体にピントを合わせて、前記チルト回転軸と結像関係にある物体あおり軸を設定するステップと、前記撮像センサを該撮像センサのチルト回転軸の回りにチルト回転させるステップとを有する。
【０００８】
本発明の他の側面としてのプログラムは、前記撮像装置の制御方法をコンピュータに実行させる。
【０００９】
本発明の他の目的及び特徴は、以下の実施形態において説明される。
【発明の効果】
【００１０】
本発明によれば、複数の被写体に適切にピントを合わせることが可能であるとともに、複数の被写体が移動した場合でもピントが合った動画撮影を行うことが可能な撮像装置、撮像装置の制御方法、および、プログラムを提供することができる。
【図面の簡単な説明】
【００１１】
【図１】第１の実施形態における撮像装置のブロック図である。
【図２】第１の実施形態における撮像装置の制御方法を示すフローチャートである。
【図３】第１の実施形態における撮像装置の制御方法の説明図である。
【図４】各実施形態における撮像画像の説明図である。
【図５】各実施形態の効果の説明図である。
【図６】各実施形態の効果の説明図である。
【図７】第２の実施形態における撮像装置のブロック図である。
【図８】第２の実施形態における撮像装置の制御方法を示すフローチャートである。
【図９】第２の実施形態における撮像装置により設定されるピント面の説明図である。
【図１０】第３の実施形態における撮像装置の制御方法の説明図である。
【図１１】第４の実施形態における撮像装置により設定される物体あおり軸の説明図である。
【図１２】第４の実施形態における撮像装置により設定されるピント面の説明図である。
【図１３】比較例としての撮像装置により設定されるピント面の説明図である。
【発明を実施するための形態】
【００１２】
以下、本発明の実施形態について、図面を参照しながら詳細に説明する。
【００１３】
まず、撮像センサをレンズの光軸に対して傾けて行う撮影（あおり撮影）について説明する。撮像センサを傾けない（あおらない）場合、撮像センサの撮像面とレンズ主平面とは平行であり、撮像センサの撮像面およびレンズ主平面のそれぞれと平行な面（光軸と垂直な面）上に存在する被写体に対してピントが合う。このように、ある仮想的な面上に存在する被写体に対してピントを合わせることができるとき、この仮想的な面をピント面という。撮像センサをあおることで、光軸と垂直な面以外の面上の被写体にピントを合わせること、すなわちピント面を任意に傾けることができる（シャインプルーフの原理）。なお、撮像センサを傾ける際、撮像センサを支持する回転軸の周りで、撮像センサを所定の角度（あおり量）だけ回転させる。以下の各実施形態において、撮像センサの回転軸（チルト回転軸）を「撮像あおり軸」という。また、前述の通り、撮像センサを傾けることでピント面も傾けること、すなわち、ピント面を所定の回転軸の周りで回転させることができる。以下の各実施形態において、ピント面の回転軸を「物体あおり軸」という。
【００１４】
撮像センサ面が光軸と垂直な場合、つまり、あおらない場合、光軸方向の距離が特定の距離である被写体に対してのみピントが合う。すなわち、ピント面は光軸と垂直な面になるので、奥行があるシーンの場合、手前の被写体から奥の被写体までピントを合わせることは難しい。一方、撮像センサを光軸に対して傾ける（あおる）ことで、ピント面を光軸に対して傾けて、ピント面を光軸と垂直な面以外の面にすることができる。この場合、光軸方向の距離が異なる被写体に対してピントを合わせることができる。すなわち、遠い被写体と、近い被写体とが存在する面に対してピントを合わせることができる。このため、画角内の被写体距離の分布に合わせて撮像センサをあおることにより、撮像センサをあおらない場合と比べて、より手前の被写体から奥の被写体までピントを合わせることができる。すなわち、物体（被写体）側のピント面を奥行き方向に傾けること（地面に近づける）で、奥行き方向（地面方向）のより広い範囲の被写体に対してピントを合わせることができる。
【００１５】
（第１の実施形態）
まず、図１を参照して、本発明の第１の実施形態における撮像装置について説明する。図１は、本実施形態における撮像装置１００のブロック図である。
【００１６】
光学ユニット１００１は、レンズ（撮像光学系）１０１および撮像センサ（撮像素子）１０２を有する。光学ユニット１００１は、被写体の反射光などの入力された光を撮像して画像信号に変換し、撮像装置１００の出力画像として出力するとともに、被写体検出部（検出手段）１０３に出力する。レンズ１０１は、入力された光を集光し、撮像センサ１０２上に被写体像を結像させる。またレンズ１０１は、複数のレンズで構成されていてもよく、本実施形態では、レンズ１０１に含まれるフォーカスレンズの位置を移動させることで、所定の被写体距離に位置する被写体に対してピントを合わせることができる。撮像センサ１０２は、２次元に配置された複数の撮像素子からなる撮像面上に結像された被写体像を電気信号に変換することで、被写体の画像信号を生成し、画像データを出力する。また撮像センサ１０２は、撮像あおり軸を中心とした回転方向に、所定の傾斜角度（あおり角度）だけ傾けることができる。
【００１７】
被写体検出部１０３は、撮像センサ１０２から画像データを取得して、所望の高さに存在する特定被写体を検出し、検出した被写体の位置（座標）を物体あおり軸設定部（設定手段）１０４に出力する。特定被写体とは、例えば人の顔である。画角にもよるが、歩行中の人の顔の高さや道路上の信号機の高さは、およそ一定であるため、人の顔のような特定被写体を検出することで、所定の高さに存在する被写体を検出することができる。
【００１８】
物体あおり軸設定部１０４は、被写体検出部１０３から取得した特定被写体の位置と撮像あおり軸の位置とを比較することで、撮像あおり軸上に所望の高さの被写体が存在するか否かを判定し、判定結果をセンサチルト部（チルト手段）１０５に出力する。例えば、特定被写体の位置情報に基づく画像領域が撮像あおり軸上に重なっている場合、物体あおり軸設定部１０４は、撮像あおり軸上に所望の高さの被写体が存在すると判定する。そして物体あおり軸設定部１０４は、撮像あおり軸上に所望の高さの被写体が存在すると判定した場合、レンズ１０１を駆動してその被写体にフォーカスを合わせることで、物体あおり軸をその被写体に設定する。
【００１９】
センサチルト部１０５は、物体あおり軸設定部１０４から撮像あおり軸上に所望の高さの被写体が存在するという判定結果を取得した場合、撮像センサ１０２を撮像あおり軸の回りにチルト回転させる。撮像センサ１０２を撮像あおり軸の回りでチルト回転させることで、被写体側も物体あおり軸の回りでピント平面が回転し、所望の高さの被写体（顔など）を含み、地面と略平行な水平面までピント面を回転させて、一致させる。
【００２０】
このような構成により、本実施形態の撮像装置１００は、画面内の所望の高さの複数の被写体（複数の顔などの特定被写体）を検出する。撮像装置１００は、撮像あおり軸上に所望の高さの被写体（顔などの特定被写体）を検出した場合、検出された被写体にフォーカスを合わせて物体あおり軸を設定する。そして撮像装置１００は、撮像センサ１０２を撮像あおり軸回りにチルト回転させることで、被写体側も物体あおり軸回りにピント平面を回転させる。その際、所望の高さの被写体（顔など）を含み、地面と略平行な水平面とピント面とが略一致するように、ピント面を回転させる。
【００２１】
次に、図２を参照して、本実施形態における撮像装置１００の制御方法について説明する。図２は、撮像装置１００の制御方法のフローチャートである。図２の各ステップは、撮像装置１００の被写体検出部１０３、物体あおり軸設定部１０４、または、センサチルト部１０５により実行される。
【００２２】
まずステップＳ０１において、被写体検出部１０３は、撮像センサ１０２から画像データ（入力画像）を取得し、入力画像から所望の高さに存在する特定被写体（人の顔など）を検出する。そして被写体検出部１０３は、検出した特定被写体の画像領域（被写体領域）の位置を算出する。
【００２３】
続いてステップＳ０２において、物体あおり軸設定部１０４は、入力画像における撮像センサ１０２の撮像あおり軸の位置の少なくとも一部が、ステップＳ０１にて検出された被写体領域の位置の少なくとも一部に含まれるか否かを判定する。すなわち物体あおり軸設定部１０４は、撮像あおり軸上に所望の高さの被写体があるか否かを判定する。撮像あおり軸上に所望の高さの被写体が存在しない場合、ステップＳ０１に戻り、被写体検出部物体あおり軸設定部１０４は、次フレーム以降の入力画像に対してステップＳ０１、Ｓ０２の処理を行う。一方、撮像あおり軸上に所望の高さの被写体が存在する場合、ステップＳ０３に進む。ステップＳ０３において、物体あおり軸設定部１０４は、撮像あおり軸上の被写体領域にピントが合うように、レンズ１０１（フォーカスレンズ）を移動させる。被写体領域にピントを合わせた後、ステップＳ０４に進む。
【００２４】
ステップＳ０４において、センサチルト部１０５は、ピント面を地面と略平行な水平面まで回転させるために必要なセンサチルト回転量（センサあおり量）を算出する。そしてセンサチルト部１０５は、センサチルト回転量（センサあおり量）の分だけ、撮像センサ１０２を撮像あおり軸の回りにチルト回転させる。
【００２５】
次に、図３を参照して、センサチルト部１０５により地面（基準平面）と略平行な水平面までピント面を回転させる方法について説明する。すなわち、ピント面を地面（基準平面）と略平行な水平面まで回転させるようにセンサチルトさせる場合の、センサチルト回転量（センサあおり量）を算出する方法について説明する。図３は、物体あおり軸設定部１０４により、撮像あおり軸上の撮像画像で所望の高さの被写体（被写体１０の顔）を検出し、被写体１０の顔にピントが合うようにレンズ１０１（フォーカスレンズ）を移動した状態を示している。
【００２６】
ここで、所望の高さの被写体（被写体１０の顔）までの被写体距離をＡ、レンズ１０１の焦点距離をｆ、光軸ＯＡと地面（基準平面）に対する垂線ＰＬとがなす角をθとすると、あおり角Ｓｐは、以下の式（１）により算出することができる。すなわち、あおり角Ｓｐが式（１）を満たすように設定されると、センサチルト回転量（センサあおり量）を算出することができる。このように、センサチルト回転量（センサあおり量）を制御することで、所望の高さの被写体（人の顔など）を含み、地面（基準平面）と略平行な水平面にピント面を一致させることができる。
【００２７】
【数１】
2020129788.tif 000003
【００２８】
なお、光軸ＯＡと地面（基準平面）に対する垂線ＰＬとがなす角θは、撮像装置１００の設置時に測量して算出するなどすればよいが、撮像装置１００に設けられた加速度センサや測距センサの測定値に基づいて算出してもよい。なお、被写体距離Ａは、例えば、図３に示される合焦時のレンズ１０１の位置に応じて決定される値Ｂに基づいてレンズの公式を用いて算出することができるが、撮像装置１００に設けられた測距センサの測定値に基づいて算出してもよい。
【００２９】
次に、本実施形態の効果について説明する。まず、図１３を参照して、比較例について説明する。図１３は、比較例としての撮像装置３００により設定されるピント面の説明図である。本比較例では、顔の傾斜角に基づいて受光面または撮像レンズの傾斜角度を調整する。このため、図１３（ａ）に示されるように被写体（顔）４１、４２が分布している場合、図１３（ａ）に示されるようなピント面が設定される。一方、図１３（ｂ）のように被写体（顔）４１、４２が分布している場合、図１３（ｂ）に示されるようなピント面が設定される。
【００３０】
図１３（ａ）に示されるピント面の傾斜角度と、図１３（ｂ）に示されるピント面の傾斜角度との差は大きい。従って、図１３（ｃ）に示されるように、図１３（ａ）のピント面の位置に固定した状態で被写体４１、４２が移動すると、ピント面の位置と被写体（顔）４１、４２の位置との誤差が大きくなり、撮像画像がぼやけてしまう。撮像画像がぼやけることを防止するには、被写体（顔）４１、４２の移動に追従してピント面の位置をリアルタイムに変更する必要がある。しかし、ピント面の変更は機械的な部材の変動を伴うため、ピント面の位置をリアルタイムに変動させるのは難しく、動画像の撮影には不向きである。
【００３１】
次に、図４を参照して、本実施形態における撮像装置１００により取得された画像（撮像画像）を説明する。図４は、本実施形態における撮像画像の説明図である。図４中の破線矩形領域は、所望の高さの被写体（顔などの特定被写体）１０、１１の検出の一例を示している。図４は、物体あおり軸上で所望の高さの被写体（被写体１０の顔）が検出されるとともに、その奥にいる所望の高さの被写体（被写体１１の顔）が検出された状態を示している。また、図４（ａ）は撮像センサ１０２をチルトする（あおる）前の撮像画像、図４（ｂ）は撮像センサ１０２をチルトした（あおった）後の撮像画像をそれぞれ示している。
【００３２】
図４の場合、物体あおり軸上に所望の高さの被写体（顔などの特定被写体）が存在する。このため、撮像装置１００はその被写体にフォーカスを合わせて物体あおり軸を設定する。センサチルト（あおり）を行う前の状態であればピント面は鉛直面となるため、図４（ａ）に示されるように、被写体１０の全身に対してピントが合う。
【００３３】
その後、奥の人（被写体１１）の顔にもピントが合うように、撮像センサ１０２を所定量あおることで、顔の高さの水平面上にピント面を形成する。これにより、図４（ｂ）に示されるように、中央の人（被写体１０）の顔にも、奥の人（被写体１１）の顔にもピントが合う状態になる。人が移動しても顔の高さは変わらないため、人が移動しても顔へのピントは外れない。
【００３４】
次に、図５を参照して、本実施形態の効果をさらに説明する。図５は、本実施形態の効果の説明図である。本実施形態の撮像装置１００においては、撮像あおり軸上で検出された顔（図５（ａ）中の被写体１２）にピントを合わせることで、物体あおり軸の位置を検出された顔の位置に設定する。そして、ピント面の傾きは、顔の位置の分布に基づいて制御するのではなく、図５（ａ）に示されるように基準平面（地面）と略平行になる傾きに固定する。以上の制御により、基準平面に対して略平行で、かつ、基準平面からの高さが検出された顔の高さである平面にピント面が固定される。このため、図５（ｂ）に示されるように、被写体１２、１３が移動して顔の位置が変わったとしても、ピント面の位置と顔の位置との誤差が顔の高さの誤差Ｅ以上になることを防止できる。
【００３５】
本実施形態において、ピント面の位置を設定する処理は撮影前の事前設定（カメラ設置時など）として行い、撮影時はピント面の位置を固定したまま行う。従って、顔の位置が変わるたびにピント面の位置を再計算することや、ピント面の位置を変更するために機械部材を駆動する必要はない。このため、全ての人の顔がぼやけること防止しながら、なめらかな動画を撮影することが可能となる。
【００３６】
次に、図６を参照して、本実施形態の効果を補足する。図６は、本実施形態の効果の説明図である。図６（ａ）に示されるように、撮像あおり軸上の撮像画像で被写体Ｏ１（大人）の顔が検出された場合、被写体Ｏ１（大人）の顔にフォーカスを合わせることで、被写体距離はＡ１となる。その結果、物体あおり軸の位置は物体あおり軸Ｔ１の位置になる。さらに、ピント面が基準平面と略平行になるように撮像センサ１０２のあおり角を制御することで、ピント面の位置はピント面Ｆ１になる。
【００３７】
一方、図６（ｂ）に示されるように、撮像あおり軸上の撮像画像で被写体Ｏ２（子供）の顔が検出された場合、被写体Ｏ２（子供）の顔にフォーカスを合わせることで、被写体距離はＡ２となる。その結果、物体あおり軸の位置は物体あおり軸Ｔ２の位置になる。さらに、ピント面が基準平面と略平行になるように撮像センサ１０２のあおり角を制御することで、ピント面の位置はピント面Ｆ２になる。このように、検出した被写体の被写体距離に応じて物体あおり軸の位置を決定することにより、被写体の高さに応じてピント面の位置を設定することができる。
【００３８】
なお本実施形態において、被写体検出部１０３は、特定被写体として人の顔を検出するが、被写体を決定する方法はこれに限定されるものではない。例えば、撮像画像と撮像あおり軸の位置を表すマーカーとをＰＣ上で動作するビューワ上に表示し、マウス等を用いて、ビューワ上で被写体領域をユーザが手動で指定するようにしてもよい。すなわち、撮像あおり軸上で所望の高さの被写体（人の顔など）と、その奥や手前に存在する所望の高さの被写体（人の顔など）とを手動で領域指定してもよい。
【００３９】
また本実施形態において、被写体検出部１０３は、特定被写体として人の顔を検出するが、検出対象となる特定被写体はこれに限定されるものではない。道路上の信号機や交通標識、自動車のナンバープレート、レストランに配置されたテーブル、学校や塾の教室の机など、基準平面（道路や床）からの高さがおよそ一定である被写体であれば、特定被写体として検出することができる。また、特定被写体として検出すべき対象を、ユーザが設定可能な手段をさらに設けてもよい。
【００４０】
また本実施形態において、物体あおり軸設定部１０４が前述の式（１）に基づいてあおり角Ｓｐを算出するが、あおり角を算出する方法はこれに限定されるものではない。事前に、式（１）に基づいて算出したあおり角をテーブルデータとして保持し、角度θと被写体距離Ａに応じて対応するあおり角をテーブルデータから読み出してもよい。また、あおり角を算出する数式は式（１）に限定されるものではなく、例えば、式（１）をより簡素化した式を用いてもよい。また、あおり角Ｓｐを、数式を用いずに求めてもよい。例えば、実験的に求めたあおり角Ｓｐをテーブルデータとして保持してもよい。
【００４１】
また本実施形態において、図４に示される被写体１１（被写体１０よりも奥の人）の顔のコントラスト値が高くなるような撮像センサ１０２のあおり角Ｓｐの位置を探索して設定し、ピント面を形成してもよい。すなわち、撮像画像中で検出された所定以上の大きさの複数の顔画像領域について、顔画像領域毎にコントラストを評価し、より多くの顔画像領域のコントラスト評価値がピーク付近となるように、撮像センサあおり角度を算出してもよい。
【００４２】
また本実施形態において、撮像センサ１０２のあおり角Ｓｐを手動調整できる手段を設け、ユーザが撮像画像を目視しながら、被写体１０の顔と被写体１１の顔の双方にピントが合うように、撮像センサ１０２のあおり角Ｓｐを手動調整するようにしてもよい。
【００４３】
次に、本実施形態が想定するユースケースの一例を説明する。例えば、本実施形態を適用した撮像装置として好適なユースケースとして、監視カメラがある。監視カメラは、動画撮影が必要である。また、監視カメラは設置時に撮影用の各種設定を行い、撮影は無人で自動的に行われるため、撮影中は監視カメラの設定を変更することが少ない。そして、監視カメラは、固定的に設置された環境に応じて特定被写体を撮影することが多いため、被写体の構造が変化することは少ない。従って、地面や道路などの基準平面の位置や傾斜角度はあまり変化しない。このため、特定被写体（例えば、人の顔）の高さが撮影中に大きく変化することは少ない。監視カメラの撮影環境は以上のような特徴があるため、本実施形態の撮像装置のようにピント面の高さを顔の高さに予め固定して撮影を行ったとしても、ピント面の高さと顔の高さの誤差に起因するぼやけは生じにくい。すなわち、手前から奥の広い範囲に存在する特定被写体（顔）にピントが合った映像が得られる。
【００４４】
（第２の実施形態）
次に、本発明の第２の実施形態について説明する。本実施形態では、撮像あおり軸上に所望の高さの被写体（人の顔などの特定被写体）が検出されない場合、監視カメラなどの撮像装置のパンチルト機能を用いて撮像装置の光軸を回転させる。より具体的には、検出された複数の所望の高さの被写体（顔など）のうち、撮像あおり軸上に最も近い所望の高さの被写体が撮像あおり軸上に重なるように光軸を回転させて、所望の高さの被写体の画角上での位置を移動させる。そして、撮像あおり軸上に移動させた所望の高さの被写体にピントが合うようにフォーカシングを行い、物体あおり軸を設定する。その後、撮像センサを撮像あおり軸回りにチルト回転させることで、被写体側も物体あおり軸回りにピント平面を回転させて、所望の高さの被写体（顔など）を含む地面と略平行な水平面とピント面とを一致させる。
【００４５】
以下、図７を参照して、本実施形態における撮像装置１００ａについて説明する。図７は、撮像装置１００ａのブロック図である。なお、第１の実施形態と共通の構成には同じ符号を付し、その説明を省略する。
【００４６】
光学ユニット２００１は、パンチルト機構２０１を有し、物体あおり軸設定部２０４から取得したパンチルト制御情報に基づいてパンチルト機構２０１を駆動させることで光学ユニット２００１の光軸の傾きを変更することができる。物体あおり軸設定部２０４は、被写体検出部１０３から取得した特定被写体の位置と撮像あおり軸の位置とを比較して、撮像あおり軸上に所望の高さの被写体が存在するか否かを判定し、判定結果をセンサチルト部１０５に出力する。物体あおり軸設定部２０４は、例えば、特定被写体の位置情報に基づく画像領域が撮像あおり軸上に重なっている場合、撮像あおり軸上に所望の高さの被写体が存在すると判定する。撮像あおり軸上に所望の高さの被写体があると判定された場合、物体あおり軸設定部２０４はレンズ１０１を駆動して被写体にフォーカスを合わせることで、物体あおり軸を被写体に設定する。
【００４７】
一方、物体あおり軸設定部２０４は、撮像あおり軸上に所望の高さの被写体が無いと判定した場合、光学ユニット２００１のパンチルト機構２０１を駆動して光学ユニット２００１の光軸の傾きを変更する。光軸の傾きは、撮像あおり軸上に所望の高さの被写体を移動させるように変更される。
【００４８】
このような構成により、本実施形態の撮像装置１００ａは、画面内の所望の高さの被写体（顔などの特定被写体）を複数検出する。そして撮像装置１００ａは、撮像あおり軸上に所望の高さの被写体（顔などの特定被写体）が検出された場合、その被写体にフォーカシングを行い、物体あおり軸を設定する。一方、撮像装置１００ａは、撮像あおり軸上に所望の高さの被写体が無いと判定した場合、光学ユニット２００１のパンチルト機構２０１を駆動して光学ユニット２００１の光軸の傾きを変更し、撮像あおり軸上に所望の高さの被写体を移動させる。そして、撮像あおり軸上に移動させた所望の高さの被写体にフォーカシングを行い、物体あおり軸を設定する。その後、撮像装置１００ａは、撮像センサを撮像あおり軸回りにチルト回転させることで、被写体側も物体あおり軸回りにピント平面を回転させる。その際、所望の高さの被写体（顔など）を含み、地面と略平行な水平面とピント面とが略一致するようにピント面を回転させる。
【００４９】
次に、図８を参照して、本実施形態における撮像装置１００ａの制御方法について説明する。図８は、撮像装置１００ａの制御方法のフローチャートである。図８の各ステップは、撮像装置１００ａの被写体検出部１０３、物体あおり軸設定部２０４、センサチルト部１０５、または、パンチルト機構２０１により実行される。なお図８において、第１の実施形態と同じステップには同じ符号を付し、その説明は省略する。
【００５０】
ステップＳ１２において、物体あおり軸設定部２０４は、入力画像における撮像センサ１０２の撮像あおり軸の位置の少なくとも一部が、ステップＳ０１にて検出された被写体領域（例えば、人の顔）の位置の少なくとも一部に含まれるか否かを判定する。すなわち物体あおり軸設定部２０４は、撮像あおり軸上に所望の高さの被写体があるか否かを判定する。撮像あおり軸上に所望の高さの被写体が存在する場合、ステップＳ０３に進む。一方、撮像あおり軸上に所望の高さの被写体が存在しない場合、ステップＳ１５に進む。
【００５１】
ステップＳ１５において、物体あおり軸設定部２０４は、光学ユニット２００１のパンチルト機構２０１を制御し、所望の高さの被写体領域が撮像あおり軸と重なるように、光学ユニット２００１の光軸の向き（撮像装置１００ａの角度）を変更する。そしてステップＳ１２に戻る。なお本実施形態において、撮像装置１００ａの光軸を回転させる手段として光学ユニット２００１のパンチルト機構２０１を用いるが、これに限定されるものではない。手動による撮像装置１００ａの角度変更（カメラアングルの変更）や防振機構を用いた変更など、他の手段を用いて撮像装置１００ａの光軸を変更してもよい。
【００５２】
次に、図９を参照して、本実施形態の効果について説明する。図９は、撮像装置１００ａにより設定されるピント面の説明図であり、物体あおり軸を移動させる例を示している。ここでは、特定被写体は人の胸から顔までの領域（顔領域、中間ポイントで高さ１．５ｍ）であり、高さ１．５ｍの水平面にピント面を合わせたいものとする。図９（ａ）中の物体あおり軸（撮像あおり軸）上には、被写体２１の人の顔領域でなく、足領域が重なっている。この状態では、センサあおりで、高さ１．５ｍ水平面にあおりピント面を合わせることができないため、物体あおり軸を被写体２１の人の顔領域まで移動する必要がある。
【００５３】
そこで本実施形態では、図９（ｂ）に示されるように、撮像装置１００ａのパンチルト機構２０１によるパンチルト機能を利用して、撮像装置１００ａの光軸を上げて（アングルアップして）、撮像あおり軸を被写体２１の人の顔領域に重ねる。そして、被写体２１の顔領域にフォーカシングを行い、被写体２１の顔に物体あおり軸を設定する。その後、手前の被写体２２の人の顔、または奥の被写体２３の人の顔にもピントが合うようになるまで、撮像センサ１０２をあおる。これにより、顔の高さの１．５ｍ水平面にピント面が合い、全ての人の顔領域にピントが合う。また、人が移動しても、人の顔へのピントが外れることはない。
【００５４】
（第３の実施形態）
次に、本発明の第３の実施形態について説明する。本実施形態は、第２の実施形態と同様に、当初の画角において撮像あおり軸上に所望の高さの被写体（顔などの特定被写体）が検出されない場合、パンチルト機能を用いて撮像装置の光軸を回転させる。一方、本実施形態では、第２の実施形態と異なり、撮像装置のパンチルト機能を用いて物体あおり軸を所望の高さの被写体（例えば、顔）の位置に設定し、ピント面を設定した後、再びパンチルト機能を用いて当初の画角に戻す。
【００５５】
また本実施形態の撮像装置は、設定した地面（基準平面）から所望の高さの略水平ピント面を維持するように、画角の変更量に応じて、フォーカスレンズの位置と撮像センサのチルト角（あおり角）を変更する。換言すると、画角を戻した際、物体あおり軸の位置を、所望の高さの略水平ピント面上であって、かつ、実際には所望の高さの被写体が存在しない仮想の位置に移動させる。これにより、ユーザが設定した所望の画角（当初の画角）を維持しながら、当初の画角のままでは所望の高さの被写体が撮像あおり軸上に存在しない場合でも、所望の高さの仮想の位置に物体あおり軸を設定することができる。
【００５６】
以下、本実施形態における撮像装置について説明する。なお本実施形態の撮像装置は、図７を参照して第２の実施形態にて説明した撮像装置１００ａと同じであるため、その説明を省略する。本実施形態において、物体あおり軸設定部２０４は、第２の実施形態と同様に、光学ユニット２００１の光軸の傾き（光軸方向）が第１の傾き（第１の方向）である場合、撮像あおり軸上に所望の高さの被写体が存在するか否かを判定する。物体あおり軸設定部２０４は、撮像あおり軸上に所望の高さの被写体が無いと判定した場合、光学ユニット２００１のパンチルト機構２０１を駆動して光学ユニット２００１の光軸の傾きを第２の傾き（第２の方向）に変更する。光軸の第２の傾きは、撮像あおり軸上に所望の高さの被写体を移動させるように変更される。そして、撮像あおり軸上に所望の高さの被写体が存在すると判定された場合、レンズ１０１を駆動して被写体にファーカスを合わせることで、物体あおり軸を被写体に設定する。
【００５７】
センサチルト部１０５は、撮像センサ１０２を撮像あおり軸回りにチルト回転させることで、被写体側も物体あおり軸回りにピント平面を回転させる。その際、所望の高さの被写体（顔など）を含み、地面と略平行な水平面とピント面とが略一致するように、ピント面を回転させる。その後、本実施形態において、物体あおり軸設定部２０４は、第２の実施形態とは異なり、再度、光学ユニット２００１のパンチルト機構２０１を駆動して光学ユニット２００１の光軸の傾きを第１の傾きに戻す。この際、予め設定された地面（基準平面）から所望の高さの略水平ピント面を維持するように、光軸の傾きの変更に応じて、フォーカスレンズの位置と撮像センサのチルト角（あおり角）とを変更する。なお、具体的な両者の変更量については後述する。フォーカスレンズの位置と撮像センサのチルト角（あおり角）とを変更することで、物体あおり軸の位置を、所望の高さの略水平ピント面上で移動させる。
【００５８】
以上の構成により、画角を戻しても、図１０（ｄ）に示されるように、撮像あおり軸上で特定被写体が無くても、周辺の特定被写体（例えば、顔）にピントが合うように、物体あおり軸の位置を移動させることができる。すなわち、撮像あおり軸上で特定被写体を撮像していない場合でも、物体あおり軸の位置を所望の高さの略水平ピント面上の仮想の位置に設定しながら、特定被写体を含む平面にピントを合わせることができる。換言すると、図１０（ｄ）に示されるように、特定被写体（顔）を含む平面上にあって、特定被写体が存在しない仮想の位置に物体あおり軸を設定しながら、特定被写体（顔）を含む平面にピントを合わせることができる。
【００５９】
以下、図１０（ａ）〜（ｄ）を参照して、所望の高さの略水平ピント面を維持しながら、光軸の傾きの変更に応じて、フォーカスレンズの位置と撮像センサのチルト角（あおり角）とを変更する方法を説明する。図１０（ａ）〜（ｄ）は、本実施形態における撮像装置の制御方法の説明図である。
【００６０】
まず、図１０（ａ）に示されるように、基準平面(例えば、地面)にピント面を合わせた状態で、撮像あおり軸上で顔が撮像されない場合を考える。ピント面の傾斜角度（基準傾斜角）θは以下の式（２）のように表される。
【００６１】
【数２】
2020129788.tif 000004
【００６２】
次に、図１０（ｂ）に示されるように、撮像装置１００ａは、撮像あおり軸上で顔が撮像されるようにパンチルト機構２０１を用いてチルト駆動を行い、撮像装置１００ａの光軸方向を変更する。このとき、撮像装置１００ａのチルト角をφとすると、被写体距離ａ’と、あおり角Ｓ’は、以下の式（３）、（４）のようにそれぞれ表される。
【００６３】
【数３】
2020129788.tif 000005
【００６４】
【数４】
2020129788.tif 000006
【００６５】
そして、図１０（ｃ）に示されるように、撮像あおり軸上の顔にピントが合うようにフォーカスレンズを移動させることにより、被写体距離Ａ’を算出することができる。このときのあおり角Ｓｐ’は、以下の式（５）のように表される。これにより、図１０（ａ）に示される当初の画角において、撮像あおり軸上に特定被写体が存在しない場合でも、物体あおり軸の位置を特定被写体の位置に移動させることができる。
【００６６】
【数５】
2020129788.tif 000007
【００６７】
最後に、図１０（ｄ）に示されるように、撮像装置１００ａはパンチルト機構２０１を用いてチルト駆動を行い、光軸方向を図１０（ａ）に示される光軸方向に戻す。これにより、被写体距離Ａｒは、幾何学的に算出することができ、以下の式（６）のように表される。
【００６８】
【数６】
2020129788.tif 000008
【００６９】
そして、フォーカスレンズの位置Ｂｒは、被写体距離Ａｒに基づいて、以下の式（７）のように決定される。
【００７０】
【数７】
2020129788.tif 000009
【００７１】
さらに、あおり角Ｓｒを以下の式（８）のように設定することで、撮像あおり軸上で仮想の特定被写体（例えば、顔）にピントが合うようにピント面を設定することができる。これにより、物体あおり軸の位置を所望の高さの略水平ピント面上の、仮想の特定被写体（顔）の位置に設定しながら、特定被写体を含む平面にピントを合わせることができる。換言すると、図１０（ａ）に示されるように、撮像あおり軸上で特定被写体の顔を撮像していない場合でも、図１０（ａ）に示される画角を維持しながら、特定被写体（顔）を含む平面にピントが合うように、所望の高さの略水平ピント面を上げることができる。
【００７２】
【数８】
2020129788.tif 000010
【００７３】
本実施形態によれば、所定の画角においては撮像あおり軸上で撮像されない特定被写体に対して、所定の画角を維持したまま、手前から奥までの広い範囲でピントを合わせることが可能となる。
【００７４】
（第４の実施形態）
次に、本発明の第４の実施形態について説明する。本実施形態は、撮像あおり軸上に所望の高さの被写体（顔などの特定被写体）が検出されない場合、撮像あおり軸上以外の撮像領域で検出された所望の高さの被写体の位置にフォーカス距離Ａを設定する。これにより、所望の高さの特定被写体の位置から光軸に下した垂線と光軸との交点の位置（光軸上の位置）に物体あおり軸を設定する。そして、光軸垂直ピント面が所定角度ω回転するように、撮像面を所定角度Ｓチルト回転させる。このとき、撮像あおり軸上以外の被写体ではフォーカスずれが発生する。そこで、そのずれを補正する再フォーカスを実行（フォーカス距離Ａ’を設定）し、光軸上に別の物体あおり軸を設定する。最後に、物体ピント面が地面と水平になるようなフォーカス距離Ａ’’を設定して光軸上に物体あおり軸を設定し、撮像面も物体ピント面が地面と水平になるようなチルト角度Ｓ’’に回転させる。これにより、ピント面が水平面になっているのでフォーカスずれは発生せず（再フォーカス不要、光軸上に最終的な物体あおり軸が設定される）、上記被写体（顔など）を含むピント面が地面と略平行な水平ピント面になる。
【００７５】
本実施形態は、第１〜３の実施形態と異なり、撮像あおり軸上以外の撮像領域で検出された所望の高さの被写体（顔などの特定被写体）にピントが合うようにフォーカシングを行い、光軸上に物体あおり軸を設定する。その後、撮像センサを撮像あおり軸回りにチルト回転させるとともに、ピントを合わせた所望の高さの被写体のピントのずれを補正するように再フォーカスして、光軸上に別の物体あおり軸を設定する。この撮像あおり軸回りのセンサチルト回転と、当初ピントを合わせた所望の高さの被写体に対するピントずれを補正する再フォーカス（光軸上に別の物体あおり軸を設定）を繰り返す。そして最終的には、所望の高さの被写体（顔など）を含む地面と略平行な水平面とピント面とを一致させる。換言すると、本実施形態は、第２、第３の実施形態と異なり、当初の画角で撮像あおり軸上に所望の高さの被写体が検出されない場合、パンチルト機能により撮像装置の光軸を回転させずピント面を所望の高さの被写体（顔など）を含む、地面と平行な面に合わせる。
【００７６】
以下、本実施形態における撮像装置について説明する。なお本実施形態の撮像装置のブロック図は、図１を参照して第１の実施形態にて説明した撮像装置１００と同じであるため省略する。以下では、図１に示したブロック図を構成する機能ブロックのうち、第１の実施形態とは異なる機能を有する機能ブロックについてのみ説明する。
【００７７】
本実施形態において、物体あおり軸設定部１０４は、被写体検出部１０３から取得した特定被写体の位置にフォーカスを合わせることで、物体あおり軸を設定する。即ち、物体あおり軸設定部１０４は、撮像あおり軸上の撮像領域に特定被写体が存在しない場合、フォーカスを合わせた特定被写体の位置から光軸に下した垂線と光軸との交点の位置に物体あおり軸を設定する。そして、物体あおり軸設定部１０４は、所定のピント面回転量に応じてセンサチルト部１０５に撮像センサのチルト角を出力するとともに、前記所定のピント面回転量に応じてレンズ１０１を駆動してフォーカスを補正する。より具体的には、所定量だけピント面を回転させても、フォーカスを合わせた前記特定被写体に対してピントを合わせ続けられるような撮像センサのチルト角と、フォーカスを合わせる被写体距離とを算出し、出力する。換言すると、本実施形態ではピント面を回転させながら、ピント面の回転に応じて、物体あおり軸の位置をシフトさせる。このような、撮像センサのチルト角と、フォーカスを合わせる被写体距離の補正量の算出方法については後述する。
【００７８】
センサチルト部１０５は、物体あおり軸設定部１０４から取得した撮像センサのチルト角に応じて、撮像センサ１０２を撮像あおり軸の回りにチルト回転させる。撮像センサ１０２を撮像あおり軸の回りでチルト回転させることで、被写体側も物体あおり軸の回りでピント平面が回転し、所望の高さの被写体（顔など）を含み、地面と略平行な水平面までピント面を回転させて、一致させる。
【００７９】
以下、図１１および図１２を参照して、本実施形態における物体あおり軸の設定方法、および、ピント面の制御方法をさらに説明する。
【００８０】
図１１（ａ）は、本実施形態における物体あおり軸の位置の一例を表している。図１１（ａ）において物体あおり軸は、被写体１０の顔の位置にフォーカスを合わせることで、被写体１０の顔の位置から光軸に下した垂線と光軸とが交わる光軸上の位置に設定されている。本実施形態においては、実施形態１〜３とは異なり、図１１（ａ）に示されるように特定被写体の位置が撮像あおり軸の位置と結像関係になくてもよい。つまり、撮像あおり軸上の撮像領域で特定被写体が撮像されなくてもよい。
【００８１】
図１１（ｂ）は、本実施形態における撮像画像の一例を表している。図１１（ｂ）は、撮像画像から顔を検出し、被写体１０の顔にフォーカスを合わせることで、特定被写体（顔）は存在しないが、撮像あおり軸と結像関係にある位置に物体あおり軸を設定している状態を表している。図１１（ｂ）中のＰｙは、撮像画像の垂直方向の画素数を、図１１（ｂ）中のＰｆは撮像画像上の光軸に相当する位置とフォーカスを合わせた顔の位置との間の距離である画素数をそれぞれ表している。
【００８２】
このような場合において、物体あおり軸設定部１０４は、図１１（ａ）中のＨで示される、フォーカスを合わせた顔などの特定被写体の位置と光軸との距離を算出する。即ち、フォーカスを合わせた特定被写体と物体あおり軸との距離Ｈを算出する。まず、図１１（ａ）中のＶで示される、レンズ１０１の焦点距離がｆ、撮像センサの垂直方向の大きさ（結像長）ｙである場合の画角内に入る、被写体距離Ａにおける視野の広さは、以下の式（９）のように表される。
【００８３】
【数９】
2020129788.tif 000011
【００８４】
そして、フォーカスを合わせた顔などの特定被写体の位置と光軸との距離ＨはＶを用いて以下の式（１０）のように表される。
【００８５】
【数１０】
2020129788.tif 000012
【００８６】
図１２（ａ）は、特定被写体（顔）が存在せず、撮像あおり軸の位置と結像関係にある位置を物体あおり軸に設定し、被写体１０の顔の位置の周りにピント面を回転した状態を表している。即ち、図１２（ａ）は、撮像センサをチルト回転しない（あおらない）状態である図１１（ａ）のピント面に対して、ピント面を被写体１０の顔の位置を中心として角度ωだけ回転させた状態を表している。さらに言うと、図１２（ａ）は、被写体１０の顔にピントを合わせたままピント面を回転するように、物体あおり軸の位置をＡ＋だけ補正した状態を表している。つまり、図１２（ａ）における仮想的な被写体距離Ａ’は、図１１（ａ）に示される撮像センサをあおらない状態の被写体距離Ａに対して、Ａ＋だけ補正したものとなる。仮想的な被写体距離Ａ’は、フォーカスを合わせた顔などの特定被写体の位置と光軸との距離Ｈと、ピント面回転量ωを用いて、以下の式（１１）のように表される。
【００８７】
【数１１】
2020129788.tif 000013
【００８８】
このときのあおり角Ｓは、仮想的な被写体距離Ａ’、ピント面回転量ωを用いて、以下の式（１２）のように表される。
【００８９】
【数１２】
2020129788.tif 000014
【００９０】
図１２（ｂ）は、ピント面が被写体１０の顔の高さの水平面と略一致するまでピント面を被写体１０の顔の位置を中心として回転させた状態を表している。図１２（ｂ）に示されるように、水平面に対する垂線と光軸とのなす角をθＨとすると、ピント面回転量ω＝θＨとなるとき、ピント面は顔の高さの水平面と一致する。このときの仮想的な被写体距離Ａ’は以下の式（１３）のように表され、あおり角Ｓは以下の式（１４）のように表される。
【００９１】
【数１３】
2020129788.tif 000015
【００９２】
【数１４】
2020129788.tif 000016
【００９３】
以上の構成により、撮像あおり軸の位置と結像関係にある物体あおり軸の位置を、フォーカスを合わせた顔などの特定被写体の位置と光軸との距離、および、ピント面回転量に応じて補正する。これにより、撮像あおり軸の位置と結像関係に無い顔の位置を中心としてピント面を回転させることができる。その結果、撮像あおり軸上の撮像領域で特定被写体が撮像されない場合であっても、特定被写体を含む所望の高さの略水平面にピントを合わせることができる。すなわち、手前から奥の広い範囲に存在する特定被写体（顔）にピントが合った映像が得られる。
【００９４】
なお、水平面に対する垂線と光軸とのなす角をθＨがカメラの設置条件等に基づいて既知である場合、図１２（ｂ）に示されるように、ピント面回転量ω＝θＨとすることで、１ステップでピント面を水平面に略一致させればよい。一方、水平面に対する垂線と光軸とのなす角をθＨが未知である場合には、任意のピント面回転量だけピント面を回転する処理を複数回繰り返す。即ち、手前から奥の広い範囲に存在する特定被写体（顔）にピントが合った映像が得られるまで、少しずつピント面回転量ωを変更すればよい。つまり、水平面に対する垂線と光軸とのなす角をθＨが既知であるか否かに応じてピント面回転量ωの設定方法を切り替えるように制御してもよい。
【００９５】
なお、上記の例では、物体あおり軸設定部１０４がピント面回転量ωに応じて、フォーカス補正量とセンサチルト角とを算出するように説明したが、これに限定されるものではない。即ち、任意のフォーカス補正量Ａ＋をまず決定する。そして、物体あおり軸設定部１０４が、フォーカスをＡ＋だけ補正しても当初ピントを合わせた特定被写体にピントを合わせ続けられるように、ピント面回転量ωと、その時のあおり角Ｓを算出してもよい。
【００９６】
なお、フォーカスを合わせた特定被写体の位置と光軸との距離Ｈの算出方法は、上述した方法に限定されるものではない。例えば、撮像画像上の垂直方向の位置座標と図１１（ａ）に示される角度ψとの関係を予め求めておき、テーブルデータとして記憶しておく。そして、フォーカスを合わせた特定被写体の位置の撮像画像上の垂直座標に基づいて、前記テーブルデータを参照して角度ψを決定し、フォーカスを合わせた特定被写体の位置と光軸との距離Ｈを以下の式（１５）のように算出してもよい。
【００９７】
【数１５】
2020129788.tif 000017
【００９８】
このように各実施形態において、撮像装置１００（１００ａ）は、光学ユニット１００１（２００１）、検出手段（被写体検出部１０３）、設定手段（物体あおり軸設定部１０４）、および、チルト手段（センサチルト部１０５）を有する。光学ユニットは、レンズ１０１および撮像センサ１０２を有する。検出手段は、撮像センサからの画像データに基づいて、特定被写体を検出する。設定手段は、特定被写体にピントを合わせて、物体あおり軸を設定する。チルト手段は、撮像センサを撮像センサのチルト回転軸の回りにチルト回転させる。
【００９９】
好ましくは、設定手段は、検出手段により特定被写体が検出された場合、被写体にピントを合わせて物体あおり軸を設定する。また好ましくは、設定手段は、検出手段により特定被写体が検出されない場合、特定被写体が検出されるまで、物体あおり軸の設定を行わない。
【０１００】
好ましくは、設定手段は、検出手段により特定被写体が検出されない場合、光学ユニットの光軸方向を変更する。より好ましくは、撮像装置は、光学ユニットの向きを変更する変更手段（パンチルト機構２０１）を有する。設定手段は、変更手段を制御して光学ユニットの光軸方向を変更する。また好ましくは、設定手段は、光学ユニットの光軸方向を変更することにより、物体あおり軸の位置を変更する。また好ましくは、設定手段は、撮像センサのチルト回転軸とは異なる撮像領域に存在する特定被写体に基づいて、光学ユニットの光軸方向を変更する。また好ましくは、設定手段は、撮像領域に存在する特定被写体がチルト回転軸に対応する位置に移動する（撮像あおり軸上に特定被写体が重なる）ように、光学ユニットの光軸方向を変更する。
【０１０１】
好ましくは、検出手段は、撮像センサからの画像データに基づいて、撮像センサのチルト回転軸に対応する位置に存在する特定被写体を検出する。設定手段は、特定被写体にピントを合わせて、チルト回転軸と結像関係にある物体あおり軸を設定する。また好ましくは、設定手段は、ピント面の回転量に応じて物体あおり軸を設定する。チルト手段は、ピント面の回転量に応じて撮像センサをチルト回転軸の回りにチルト回転させる。
【０１０２】
好ましくは、チルト手段は、特定被写体を含む複数の被写体にピントが合うように、撮像センサをチルト回転させる。また好ましくは、チルト手段は、特定被写体の高さの基準となる第１の平面（基準平面）に平行（略平行）な第２の平面にピントが合うように、撮像センサをチルト回転させる。また好ましくは、第１の平面は、地面、道路、床、および、廊下の少なくとも一つを含む。また好ましくは、設定手段は、光学ユニットの光軸方向を第１の方向（第１の傾き）から第２の方向（第２の傾き）に変更して物体あおり軸を設定する。その後、設定手段は、物体あおり軸の第１の平面からの高さを維持したまま光学ユニットの光軸方向を第２の方向から第１の方向に戻す。また好ましくは、特定被写体は、人物の顔領域である。
【０１０３】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【０１０４】
各実施形態によれば、物体あおり軸を顔などの所望の高さの被写体（特定被写体）に設定し、撮像センサあおり（撮像センサチルト）により、所望の高さ（顔）の水平面（地面と平行な略水平面）にピントが合うように設定することができる。その結果、全ての人の顔の高さ面にピントを合わせることができ、人の顔が動いてもピント面から外れずに動画撮影を行うことが可能となる。このため各実施形態によれば、複数の被写体に適切にピントを合わせることが可能であるとともに、複数の被写体が移動した場合でもピントが合った動画撮影を行うことが可能な撮像装置、撮像装置の制御方法、および、プログラムを提供することができる。
【０１０５】
以上、本発明の好ましい実施形態について説明したが、本発明はこれらの実施形態に限定されず、その要旨の範囲内で種々の変形及び変更が可能である。
【符号の説明】
【０１０６】
１００、１００ａ  撮像装置
１０１  レンズ
１０２  撮像センサ
１０３  被写体検出部（検出手段）
１０４  物体あおり軸設定部（設定手段）
１０５  センサチルト部（チルト手段）
１００１、２００１  光学ユニット
【図１】
2020129788.tif 000018
【図２】
2020129788.tif 000019
【図３】
2020129788.tif 000020
【図４】
2020129788.tif 000021
【図５】
2020129788.tif 000022
【図６】
2020129788.tif 000023
【図７】
2020129788.tif 000024
【図８】
2020129788.tif 000025
【図９】
2020129788.tif 000026
【図１０】
2020129788.tif 000027
【図１１】
2020129788.tif 000028
【図１２】
2020129788.tif 000029
【図１３】
2020129788.tif 000030